(57)【要約】【課題】再利用できるプラスチック材料と再利用できない不要な材料とを比較的簡易な手段で分別する新規な廃棄樹脂材料の分別装置を提供する。【解決手段】一対の回転する螺旋軸１，１を僅かに間隔を置いて平行に配設して構成した送り機構２を複数平行に配列して構成し、これら送り機構２を廃棄樹脂材料の供給側を上位にして傾斜して設け、上記螺旋軸１，１の上位部分を摩擦抵抗が小さい表面とし、上記螺旋軸１，１の下位部分を摩擦抵抗が大きい表面としてあることを特徴とする。【選択図】図１
2011161339.tif 000002
【特許請求の範囲】
【請求項１】
一対の回転する螺旋軸を僅かに間隔を置いて平行に配設して構成した送り機構を複数平行に配列して構成し、これら送り機構を廃棄樹脂材料の供給側を上位にして傾斜して設け、上記螺旋軸の上位部分を摩擦抵抗が小さい表面とし、上記螺旋軸の下位部分を摩擦抵抗が大きい表面としてあることを特徴とする廃棄樹脂材料の分別装置。
【請求項２】
上記螺旋軸の摩擦抵抗の小さい表面の上位部分と、上記螺旋軸の摩擦抵抗の大きい下位部分とを、螺旋軸の軸方向の半分づつに構成してある上記請求項１に記載の廃棄樹脂材料の分別装置。
【請求項３】
上記上位部分の螺旋を小さい幅の突条により構成し、上記下位部分の螺旋を大きい幅の突条により構成してある上記請求項１又は２に記載の廃棄樹脂材料の分別装置。
【請求項４】
一対の回転する螺旋軸の回転方向を上から見て互いに近づく内向きにしてある上記請求項１乃至３の何れかに記載の廃棄樹脂材料の分別装置。
【請求項５】
一対の回転する螺旋軸の回転方向を上から見て互いに離れる外向きにしてある上記請求項１乃至３の何れかに記載の廃棄樹脂材料の分別装置。
【発明の詳細な説明】
【技術分野】
【０００１】
本発明は、廃棄された各種電子機器、家庭用電気製品、自動車等の廃棄樹脂材料をチップ状に破砕して、この廃棄樹脂材料を再利用する材料と捨てる不要な材料とに分別する廃棄樹脂材料の分別装置に関する。
【背景技術】
【０００２】
使い捨てカメラ、各種小型電子機器、家庭用電気製品あるいは自動車等は使用し終わったら廃棄されるが、これらには再使用される樹脂材料が多く含まれている。
従来から、これら廃棄樹脂材料をチップ状に破砕して種々の材料に分別する方法として、風力分級、比重液分離、光学分離、静電分離、振動分離が公知であり使用されている。
しかし、これら方式を全て駆使しても分離、分別が不可能な樹脂があった。
【発明の概要】
【発明が解決しようとする課題】
【０００３】
廃棄樹脂材料の中には、再利用できるプラスチック材料、例えばＰＳ，ＡＢＳ，ＰＰ，ＰＥ等があるが、再利用ができない不要な材料、例えばウレタン、ゴム、シリコン等とその発泡品もある。
これら再利用できるプラスチック材料と再利用できない不要な材料がチップ状に破砕された状態で混在すると、これらを分別するのは困難である。
そこで本発明は、これら再利用できるプラスチック材料は表面摩擦抵抗が小さく、再利用できない不要な材料は表面摩擦抵抗が大きいということに着目して、比較的簡易な手段で分別する新規な廃棄樹脂材料の分別装置を提供する。
【課題を解決するための手段】
【０００４】
そのため、本発明の廃棄樹脂材料の分別装置は、一対の回転する螺旋軸を僅かに間隔を置いて平行に配設して構成した送り機構を複数平行に配列して構成し、これら送り機構を廃棄樹脂材料の供給側を上位にして傾斜して設け、上記螺旋軸の上位部分を摩擦抵抗が小さい表面とし、上記螺旋軸の下位部分を摩擦抵抗が大きい表面としてあることを特徴とするものである。
【０００５】
また、本発明の廃棄樹脂材料の分別装置は、上記螺旋軸の摩擦抵抗の小さい表面の上位部分と、上記螺旋軸の摩擦抵抗の大きい下位部分とを、螺旋軸の軸方向の半分づつに構成してあるとよい。
さらに、本発明の廃棄樹脂材料の分別装置は、上記上位部分の螺旋を小さい幅の突条により構成し、上記下位部分の螺旋を大きい幅の突条により構成してあるとよい。
【０００６】
また、本発明の廃棄樹脂材料の分別装置は、一対の回転する螺旋軸の回転方向を上から見て互いに近づく内向きにしてある。
さらに、本発明の廃棄樹脂材料の分別装置は、一対の回転する螺旋軸の回転方向を上から見て互いに離れる外向きにしてある。
【発明の効果】
【０００７】
本発明の廃棄樹脂材料の分別装置は、一対の回転する螺旋軸を僅かに間隔を置いて平行に配設して構成した送り機構を複数平行に配列して構成し、これら送り機構を廃棄樹脂材料の供給側を上位にして傾斜して設け、上記螺旋軸の上位部分を摩擦抵抗が小さい表面とし、上記螺旋軸の下位部分を摩擦抵抗が大きい表面としてあるから、各送り機構上に供給されたチップ状の廃棄樹脂材料が、摩擦抵抗の小さい表面からなる一対の螺旋軸の上位部分で整列して下方に送り込まれ、摩擦抵抗の大きい表面からなる一対の螺旋軸の下方部分で、再利用できない不要な材料が、自らの表面抵抗が大きいために下方又は側方に放出される一方、再利用できるプラスチック材料は一対の螺旋軸からなる送り機構によって、自らの表面抵抗が小さいためにこの送り機構の下端まで送り込まれ、再利用できるプラスチック材料と再利用できない不要な材料とを簡単な装置により分別することができる効果がある。
【図面の簡単な説明】
【０００８】
【図１】本発明の廃棄樹脂材料の分別装置の一実施例の平面図である。
【図２】本発明の分別装置の側面図である。
【図３】送り機構を構成する一対の螺旋軸の中心軸部分で切断した断面図である。
【図４】本発明分別装置の別の実施例の平面図である。
【図５】図４図示の実施例の一対の螺旋軸の中心軸部分で切断した断面図である。
【発明を実施するための形態】
【０００９】
図１乃至図３に本発明廃棄樹脂材料の分別装置の一実施例を示してある。図１の平面図に示すように、一対の回転する螺旋軸１，１を僅かな間隔を置いて平行に配設して構成した送り機構２，２を複数平行に配列して構成してある。
これら送り機構２，２を構成する螺旋軸１，１は、固設された軸受板３，３に軸支されており、図２に示す駆動モーター１０により回転するように組み込まれている。
【００１０】
複数の送り機構２，２は、図２に示すようにチップ状の廃棄樹脂材料の供給側を上位にして傾斜して設けてある。即ち、この供給側上に廃棄材料を供給するホッパー４が設けてあり、このホッパ４―に設けた供給口５，５を夫々の送り機構２を構成する一対の螺旋軸１，１間に臨ませて配置してある。
【００１１】
それぞれの螺旋軸１，１は、その上半部分位置を摩擦抵抗の小さい表面として構成してある。即ち、例えば金属の研磨された表面としてあり、一方、その下半部分位置を摩擦抵抗の大きい表面としてある。即ち、例えばゴム張りの表面にしてある。このそれぞれの螺旋軸１，１の上半部分位置には小さい幅からなる螺旋突条６を有し、下半部分位置には大きい幅からなる螺旋突条７を有する。
【００１２】
上記小さい幅の螺旋突条６を有する螺旋軸１の上半部分は、ホッパー４から供給されたチップ状の廃棄樹脂材料を整列して下方に送る整列部を構成し、摩擦抵抗の大きい表面を有し、大きい幅の螺旋突条７を有する螺旋軸１の下半部分は、廃棄樹脂材料の再利用できるプラスチック材料と再利用できない不要な材料とを分別する分別部を構成する。
即ち、再利用できるプラスチック材料は、螺旋軸１の下半部分の摩擦抵抗の大きい表面上を自らの表面摩擦抵抗が小さいので螺旋軸１，１によって下方に送られ、送り機構２の下端に設けた良品容器８に送られる。
【００１３】
一方、ウレタン、ゴム、シリコン等の再利用できない不要な材料は、自らの表面摩擦抵抗が大きいので螺旋軸１の下半部分の摩擦抵抗の大きい表面に捕捉され、螺旋軸１，１の回転によって不良品容器９に送られる。
図１乃至図３に示した実施例では、図３に示す通り一対の螺旋軸１，１の回転方向を上から見て互いに近づくように内向きにしてある。
従って、再利用できない不要な樹脂材料は、一対の螺旋軸１，１間に挟み込まれて下に落ちるようにしてある。
【００１４】
図４及び図５に示した実施例は、別の実施例で、図１乃至図３に示した符号と同じ符号は同じ部材を示す。この実施例の図１乃至図３の実施例と相違する点は一対の螺旋軸１，１の回転方向だけであり、この実施例は図５に示す通り一対の螺旋軸１，１の回転方向を上から見て互いに離れるように外向きにしてある。
従って、螺旋軸１の下半部分の摩擦抵抗の大きい表面に捕捉された再利用できない不要な樹脂材料は、螺旋軸１，１の側方に放出され、不良品容器９に送られる。
【００１５】
本発明分別装置では、一対の螺旋軸１，１の摩擦抵抗の小さい上位部分でチップ状の廃棄樹脂材料を整列して供給し、摩擦抵抗の大きい下部部分で廃棄樹脂材料の再利用できる良品の材料と再利用できない不良品の材料とを簡単な装置により正確に分別できるようにしたものである。
【符号の説明】
【００１６】
１  螺旋軸
２  送り機構
３  軸受板
４  ホッパー
５  供給口
６  螺旋突条
７  螺旋突条
８  良品容器
９  不良品容器
１０  駆動モーター
【図１】
2011161339.tif 000003
【図２】
2011161339.tif 000004
【図３】
2011161339.tif 000005
【図４】
2011161339.tif 000006
【図５】
2011161339.tif 000007